(57)【要約】【課題】小型化した場合でも、床面取付プレートの中央の開口部を該床面取付プレートに対して大きく形成することができ、また、蓋体に設けた引出部からの配線の引出しが容易となって、小型化に際しての不都合が生じない床配線装置を提供する。【解決手段】中央に開口部１０を有する床面取付プレート１と、床面取付プレート１の開口部１０の周縁部に取着される複数の配線器具保持具２と、配線器具保持具２に取付けられる配線器具３と、配線を引出す引出部４１を有して開口部１０を塞ぐ蓋体４とを備えた床配線装置である。開口部１０の内方且つ下方に少くとも一個の配線器具保持具２の一端部がねじ止めされるねじ止め部５を配設し、配線器具保持具２の他端部に開口部１０の周縁部に係止取着される係止爪２１を設けた。開口部１０の周縁部に係止爪２１が係止される係止片１４を設けた。【選択図】        図１
2004153970.tif 000002
【特許請求の範囲】
【請求項１】
中央に開口部を有して床面開口部の開口端縁を覆うように配設される枠状をした床面取付プレートと、少なくとも一端部が前記床面取付プレートの開口部の周縁部に取着される複数の配線器具保持具と、配線器具保持具に取付けられて床面下に収容される配線器具と、配線器具に接続される配線を引出すための引出部を有して床面取付プレートの開口部を塞ぐ蓋体と、を備えた床配線装置において、前記床面取付プレートの開口部の内方且つ下方に少なくとも一個の配線器具保持具の一端部がねじ止めされるねじ止め部を配設すると共に該配線器具保持具の他端部に床面取付プレートの開口部の周縁部に係止して取着するための係止爪を設け、床面取付プレートの開口部の周縁部に前記係止爪が係止される係止片を設けて成ることを特徴とする床配線装置。
【請求項２】
ねじ止め部を該ねじ止め部にねじ止めされる配線器具保持具とは別の配線器具保持具の下端部より水平方向に連設して成ることを特徴とする請求項１記載の床配線装置。
【請求項３】
ねじ止め部を床面取付プレートより一体に垂下した吊下げ片に設けて成ることを特徴とする請求項１又は請求項２記載の床配線装置。
【請求項４】
中央に開口部を有して床面開口部の開口端縁を覆うように配設される枠状をした床面取付プレートと、少なくとも一端部が前記床面取付プレートの開口部の周縁部に取着される複数の配線器具保持具と、配線器具保持具に取付けられて床面下に収容される配線器具と、配線器具に接続される配線を引出すための引出部を有して床面取付プレートの開口部を塞ぐ蓋体と、を備えた床配線装置において、蓋体の引出部の配線引出し方向を配線器具の差込口に面する方向と直交するように形成して成ることを特徴とする床配線装置。
【発明の詳細な説明】
【０００１】
【発明の属する技術分野】
本発明は、床面開口部に配設される床面取付プレートと、配線器具が取り付けられると共に床面取付プレートに取着される配線器具保持具と、床面取付プレートの開口部を塞ぐ蓋体とを備えた床配線装置に関するものである。
【０００２】
【従来の技術】
従来より、床面開口部に配線器具を配設するための床配線装置がよく設けられている（例えば特許文献１参照）。
【０００３】
既に出願人も、図１３及び図１４に示す特願２００２−１１２４１９、特願２００２−１１２４２３におけるような床配線装置を開発している。
【０００４】
この図１３及び図１４に示す従来の床配線装置は、二重床のような床面に穿設された床面開口部に中央に開口部１０’を有する枠状をした床面取付プレート１’を配設し、この床面取付プレート１’に配線器具３’が取り付けられた配線器具保持具２’を取り付けることで床面取付プレート１’の開口部１０’の内方且つ下方に配線器具３’を配設し、床面取付プレート１’の開口部１０’を蓋体４’で塞ぐと共に、蓋体４’に形成した切欠開口４０’に着脱片４２’を取り付けてこの着脱片４２’の引出部４１’から配線器具３’に接続された配線を床上へ引出すものである。
【０００５】
上記従来の床配線装置は、配線器具保持具２’の端部に略水平な取付部２２’を設けると共に、床面取付プレート１’の開口部１０’の周縁部に内方側に縁取付部１３’を連設し、前記配線器具保持具２’の取付部２２’を床面取付プレート１’の縁取付部１３’に載置して、ねじ等からなる固着具を配線器具保持具２’の挿通孔２２ａ’に挿通して床面取付プレート１’の縁取付部１３’の固着孔１５’に固着するものである。
【０００６】
ところで、上記従来の床配線装置は小型化が進められているが、ただ単純に小型化すると種々の不都合が生じてしまう。その不都合としては、床面取付プレート１’をただ単純に小型化するとそれに伴って開口部１０’も小さくなり、配線器具保持具２’を床面取付プレート１’に取り付ける際、配線器具保持具２’が取り付けられた配線器具３’を開口部１０’に下方へそのまま垂直に下ろして取り付けられなくなり、また、平面視で開口部１０’内に配線器具３’が収まりきらない惧れがあるものであった。
【０００７】
また、他の不都合としては、開口プレート１の開口部１０’を塞ぐ蓋体４’の引出部４１’からの配線の引出しが煩雑となることが挙げられる。即ち、配線器具３’の差込口が面する方向と、蓋体４’の引出部４１’の配線引出し方向とは、平面視で同一方向となるもの及び反対方向となるものがあり、配線器具３’の差込口に差し込んだプラグからの配線が折れ曲がることなく引出部４１’から引出されるもの及び、差込口に差し込んだプラグからの配線が１８０°程折れ曲って引出部４１’から引出されるものがあるが、ただ単純に小型化すると後者の１８０°程折れ曲って引出される配線の曲がり具合が大きくなり、引出部４１’から引出し難くなると共に配線が損傷する惧れがあるものであった。
【０００８】
【特許文献１】
特開平６−７８４３４号公報
【０００９】
【発明が解決しようとする課題】
本発明は上記の点に鑑みてなされたものであり、その目的とするところは、小型化した場合でも、床面取付プレートの中央の開口部を該床面取付プレートに対して大きく形成することができ、また、蓋体に設けた引出部からの配線の引出しが容易となって、小型化に際しての不都合が生じない床配線装置を提供するものである。
【００１０】
【課題を解決するための手段】
上記課題を解決するために本発明に係る床配線装置は、中央に開口部１０を有して床面開口部の開口端縁を覆うように配設される枠状をした床面取付プレート１と、少なくとも一端部が前記床面取付プレート１の開口部１０の周縁部に取着される複数の配線器具保持具２と、配線器具保持具２に取付けられて床面下に収容される配線器具３と、配線器具３に接続される配線を引出すための引出部４１を有して床面取付プレート１の開口部１０を塞ぐ蓋体４と、を備えた床配線装置において、前記床面取付プレート１の開口部１０の内方且つ下方に少なくとも一個の配線器具保持具２の一端部がねじ止めされるねじ止め部５を配設すると共に該配線器具保持具２の他端部に床面取付プレート１の開口部１０の周縁部に係止して取着するための係止爪２１を設け、床面取付プレート１の開口部１０の周縁部に前記係止爪２１が係止される係止片１４を設けて成ることを特徴とするものである。このような構成とすることで、配線器具保持具２の床面取付プレート１への取着を全てねじ止めにて行うもののように床面取付プレート１の開口部１０の周縁部にねじ止めするため突出長さの長い縁取付部１３を突出する必要がなくなり、床面取付プレート１に対して開口部１０を相対的に大きく形成することが可能となって、床配線装置の小型化の際の開口部１０が小さくなるという不都合を解消することができるものである。
【００１１】
また、ねじ止め部５を該ねじ止め部５にねじ止めされる配線器具保持具２とは別の配線器具保持具２の下端部より水平方向に連設することが好ましい。このような構成とすることで、配線器具保持具２をねじ止め部５を配設するための支持部材として兼用することができる。
【００１２】
また、ねじ止め部５を床面取付プレート１より一体に垂下した吊下げ片５２に設けることが好ましい。このような構成とすることで、床面取付プレート１の開口部１０の周縁部に突出長さの長い縁取付部１３を突出する必要が全くなくなり、床面取付プレート１に対する開口部１０の相対的な大きさをより一層大きくすることが可能となる。
【００１３】
また、中央に開口部１０を有して床面開口部の開口端縁を覆うように配設される枠状をした床面取付プレート１と、少なくとも一端部が前記床面取付プレート１の開口部１０の周縁部に取着される複数の配線器具保持具２と、配線器具保持具２に取付けられて床面下に収容される配線器具３と、配線器具３に接続される配線を引出すための引出部４１を有して床面取付プレート１の開口部１０を塞ぐ蓋体４と、を備えた床配線装置において、蓋体４の引出部４１の配線引出し方向を配線器具３の差込口に面する方向と直交することが好ましい。このような構成とすることで、配線器具３が両側で互いに対向するように配設してある場合、各配線器具３の差込口に接続される配線が全て９０°程曲げるだけで引出部４１から引き出し可能となり、配線が引き出し易くなると共に配線を大きく曲げることによる損傷が起こり難くなる。
【００１４】
【発明の実施の形態】
以下、本発明を添付図面に示す実施形態に基づいて説明する。本発明の床配線装置は、床面開口部に床面取付プレート１を配設し、この床面取付プレート１に配線器具保持具２を介して配線器具３を取り付け、床面取付プレート１の開口部１０を蓋体４で塞ぐものである。床面は、二重床等の床下配線が配設される床面で、この床面に床配線装置が配設される床面開口部が穿設してある。
【００１５】
床配線装置は、床面取付プレート１と、配線器具３が取り付けられる配線器具保持具２と、床面取付プレート１の開口部１０を塞ぐ蓋体４とからなる。
【００１６】
床面取付プレート１は、図１等に示すように、中央に平面視略正方形状をした開口部１０が形成される平面視略ロ字形の枠状をしたもので、床面開口部の開口端縁に取り付けられる。更に詳述すると、床面取付プレート１は、平面視略ロ字形の水平板状をした上鍔部１１と、該上鍔部１１の内端周縁から下方に連設される角筒部１２とで主体が構成され、この上鍔部１１及び角筒部１２の内部が開口部１０となる。
【００１７】
上鍔部１１は、床面開口部の開口端縁の上面に載置されて床面に直接取り付けられる部分となるものである。上鍔部１１の内端周縁からは、下方に上下長さが比較的短い四つの側面部（１２ａ，１２ｂ）からなる角筒部１２が連設される。角筒部１２には、その対向する一対の両側面部１２ｂの左右の一半部から縁取付部１３が開口部１０内方に向けて略水平に連設される。この縁取付部１３には固着孔１５が設けてあり、後述する配線器具保持具２の取付部２２が載置されてねじ止め固定されるものである。
【００１８】
また、床面取付プレート１には、角筒部１２の側面部のうち上記縁取付部１３が連設された一対の側面部１２ｂとは別の対向する一対の側面部１２ａに、後述する蓋体４が載置される蓋受け片１６が内側に向けて突設してある。そして更に、蓋体４の後述する係合爪４３とロック爪４４とをそれぞれ受ける係合爪受け孔部１７とロック爪受け孔部１８とが、上述した縁取付部１３が連設された一対の側面部１２ｂにそれぞれ穿設してある。
【００１９】
このような床面取付プレート１には、配線器具保持具２が取着されるのであるが、その取着に三通りの方法があり、上で少し述べたように配線器具保持具２の取付部２２を床面取付プレート１の縁取付部１３にねじ止め固定する仕方（第一の方法とする）と、配線器具保持具２の係止爪２１と床面取付プレート１の係止片１４とで係止させる仕方（第二の方法とする）と、この場合に配線器具保持具２の係止爪２１を設けた側と反対側の端部の被ねじ止め部２６を床面取付プレート１の開口部１０の内方且つ下方に配設されたねじ止め部５にねじ止め固定する仕方（第三の方法とする）とがあり、以下に説明する。
【００２０】
第一の取着方法であるが、床面取付プレート１の角筒部１２の対向する一対の側面部１２ｂの下端部の一部からは上述した縁取付部１３が連設してあり、この縁取付部１３に配線器具保持具２の取付部２２に設けた挿通孔２２ａにねじ等の固着具（図示せず）を挿通して縁取付部１３に設けた固着孔１５に螺着してねじ止め固定するものである（図２参照）。
【００２１】
第二の取着方法は、配線器具保持具２の端部に係止爪２１を設けると共に、床面取付プレート１の角筒部１２の下端部の上記縁取付部１３を連設した部分以外の部分から（実施例では側面部１２ｂと直角に隣合う側面部１２ａの下端から内方に向けて）前記係止爪２１が係止される係止片１４を連設し、配線器具保持具２の係止爪２１を床面取付プレート１の係止片１４に係止して取着するものである（図１参照）。ここで、縁取付部１３はねじ等の固着具で固着するため内方への突出長さが長くなるが、係止片１４は係止爪２１を係止するだけでよいため縁取付部１３と比べて内方への突出長さが短くてよく、その分床面取付プレート１の開口部１を大きく形成することができる。
【００２２】
第三の取着方法は、第二の取着方法を行う場合において、配線器具保持具２の係止爪２１を設けた側と反対側の端部に挿通孔２６ａを形成した被ねじ止め部２６を設け、床面取付プレート１の開口部１０の内方且つ下方に固着孔５１を形成したねじ止め部５を配設して、この被ねじ止め部２６の挿通孔２６ａに固着具（図示せず）を挿通して配線器具保持具２のねじ止め部５の固着孔５１に螺着してねじ止め固定するものである（図１参照）。ねじ止め部５を床面取付プレート１の開口部１０の内方且つ下方に配設するには、後述する本実施形態のように両端部を第一の取着方法にて床面取付プレート１に取り付けた配線器具保持具２ａの底板部から連設するか、あるいは後述する他の実施形態のように床面取付プレート１に一体的に設けるものである。
【００２３】
本発明においては、床面取付プレート１に複数取着される配線器具保持具２のうち、図１に示すように少なくとも一個の配線器具保持具２ｂにおいては、一端部に上述したような係止爪２１を設けて第二の取着方法にて係止片１４に係止すると共に、他端部に被ねじ止め部２６を設けて第三の取着方法にてねじ止め部５にねじ止め固定される。そして、残りの配線器具保持具２ａにおいては、両端部に上述したような取付部２２を設けて第一の取着方法で床面取付プレート１の開口部１０の周縁部の縁取付部１３にねじ止め固定される。本実施形態では、図１等に示すように一個の配線器具保持具２ａの下端部からねじ止め部５を連設し、この配線器具保持具２ａは第一の取着方法に示すように両端部が床面取付プレート１の縁取付部１３に取り付けられ、図５に示すように別の二個の配線器具保持具２ｂをその被ねじ止め部２６を前記配線器具保持具２ａのねじ止め部５にねじ止め固定することで取り付けるものである。
【００２４】
両端部が床面取付プレート１の縁取付部１３にねじ止めされる配線器具保持具２ａは、図１，図２に示すように、対向する縁取付部１３にそれぞれ取り付けられる略水平板状をした取付部２２及び該両取付部２２の内側端部から垂下される側片２３と、両側片２３の間に架設される配線器具取付片２４とからなる。床面取付プレート１の縁取付部１３は、床面取付プレート１の角筒部１２の対抗する側面部のそれぞれ同側の半部に形成してあり、この両方の縁取付部１３に配線器具保持具２ａの取付部２２を取り付けた際に配線器具取付片２４が床面取付プレート１の上鍔部１１のほぼ下方に位置する状態となる。配線器具取付片２４は板状をしたもので、床面取付プレート１の開口部１０の中央部のやや上方に面するように傾斜した状態で配置され、その中央部の開口に配線器具３の差込口が床面取付プレート１の開口部１０内方に臨むように取り付けられる。なお、配線器具３としては、一面に単一あるいは複数の差込口が形成される電源コンセント、ＴＶコンセント、モジュラジャック等の電源、映像、情報コンセントが挙げられるが、特に限定されない。
【００２５】
そして、この両端部に縁取付部１３が形成される配線器具保持具２ａにあっては、配線器具取付片２４の下端部から床面取付プレート１の開口部１０の内方且つ下方に向けて水平方向にねじ止め部５が連設してある。
【００２６】
ねじ止め部５は板状をしたもので、ねじ等の固着具が固着される固着孔５１が形成してあり、本実施形態では二箇所に固着孔５１が形成してあり、二個の別の配線器具保持具２ｂがねじ止めされる。
【００２７】
次に、一端部に係止爪２１を設けると共に他端部に被ねじ止め部２６を設けた配線器具保持具２ｂについて説明する。この配線器具保持具２ｂは、図１に示すように、縦板状をした連設片２５の上端部を略水平に折曲して係止爪２１を形成し、連設片２５の下端部に配線器具取付片２４を設け、配線器具取付片２４の下端部に被ねじ止め部２６を設けてある。配線器具取付片２４は板状をしたもので、上述したのと同様に床面取付プレート１の上鍔部１１のほぼ下方に傾斜した状態で配置され、その中央部の開口に配線器具３が取り付けられる。そして、この配線器具取付片２４の下端部に設けられる被ねじ止め部２６は、床面取付プレート１の開口部１０の内方且つ下方に向けて水平方向に連設される板状をしたもので、ねじ等の固着具が挿通される挿通孔２６ａが形成してある。
【００２８】
このような配線器具保持具２ａ，２ｂの床面取付プレート１への取り付けについて説明する。まず、配線器具保持具２ａ，２ｂに配線器具３を取り付けるのであるが、これは、配線器具３の差込口が形成された面を配線器具保持具２ａ，２ｂの配線器具取付片２４の開口に臨ませるように取り付ける。更に本実施形態においては、配線器具３の背面側を覆って保護する略箱状をした保護カバー６を配線器具取付片２４に取り付けてある。
【００２９】
次に、まず両端部に取付部２２が形成された配線器具保持具２ａを床面取付プレート１に取り付ける（図２，図３参照）。本発明においては、配線器具３が取り付いた状態では配線器具保持具２ａ（及び２ｂ）を床面取付プレート１の開口部１０に下方へそのまま垂直に下ろして取付部２２を縁取付部１３に取り付けることはできないため、まず開口部１０の中央部に配線器具３が取り付いた配線器具保持具２ａを挿入して床面下へ配設し、開口部１０の下方で配線器具３を平面視で開口部１０から外方に突出するように移動し、これにより取付部２２を床面取付プレート１の縁取付部１３に取り付ける。
【００３０】
次に、図１，図４に示すように、係止爪２１及び被ねじ止め部２６を設けた配線器具保持具２ｂを一個取り付ける。この時も、開口部１０の中央部に配線器具３が取り付いた配線器具保持具２ａを挿入して床面下へ配設し、開口部１０の下方で配線器具３を平面視で開口部１０から外方に突出するように移動し、上端部の係止爪２１を床面取付プレート１の係止片１４に係止すると共に、下端部の被ねじ止め部２６をねじ止め部５にねじ止め固定する。同様にして、図５に示すように更に一個の係止爪２１及び被ねじ止め部２６を設けた配線器具保持具２ｂを取り付けて配線器具３及び配線器具保持具２の床面取付プレート１への取り付けは完了する。この時、床面取付プレート１の開口部１０内では、両端部に取付部２２が形成された配線器具保持具２ａに取り付けた配線器具３と、係止爪２１及び被ねじ止め部２６を設けた配線器具保持具２ｂに取り付けた配線器具３とは開口部１０内の両側にあって互いに対向する状態となり、各配線器具３の差込口に配線を差し込み易くなる。
【００３１】
本発明においては、床面取付プレート１の開口部１０の周縁部に係止片１４を形成すると共に配線器具保持具２ｂの係止爪２１を係止するようにしたことで、従来においては配線器具保持具２は全て端部に設けた取付部２２を床面取付プレート１の開口部１０の周縁部に設けた縁取付部１３に取り付けていたのを縁取付部１３よりも突出長さが短い係止片１４に配線器具保持具２を取着することが可能となって、床面取付プレート１に対して開口部１０を大きく形成することが可能となる。即ち、開口部１０に対して相対的に床面取付プレート１を小さく形成することができるため、開口部１０を小さくすることなく床面取付プレート１の小型化が可能となるものである。
【００３２】
また、配線器具保持具２に取り付けられた配線器具３が平面視で床面取付プレート１の外縁部よりも外方に突出するように配設されるため、床面取付プレート１及びその開口部１０を小型化する場合でも、小型化前と同様の配線器具３を配設可能となるもので、また更に、配線器具３が外方斜め下方に傾斜するように突出するため、床面取付プレート１及び開口部１０を水平方向における小型化のみならず上下方向の小型化も可能となる。
【００３３】
本実施形態ではこのようにして床面取付プレート１に配線器具３を配設して更に、図６に示すように、開口部１０内において配線器具保持具２や配線，床下部分を隠して配線器具３の差込口のみが臨むようにコンセントプレート７を設けてある。
【００３４】
コンセントプレート７は、上鍔枠７１と、該上鍔枠７１の内周端縁から連設される箱状体７２とからなり、箱状体７２の配線器具３の差込口に対応する部分に開口窓７０が形成してある。このコンセントプレート７は、上鍔枠７１を床面取付プレート１の開口部１０の周縁部（即ち配線器具保持具２の取付部２２及び係止爪２１）に載置される状態で配設される。
【００３５】
そして、床面取付プレート１の開口部１０には蓋体４が開閉自在に取り付けられる。
【００３６】
蓋体４は、図７乃至図１０に示すように、平面視における外郭が床面取付プレート１の上鍔部１１の内端周縁とほぼ同形同大の略矩形状の板状のもので、床面取付プレート１の角筒部１２に設けた蓋受け片１６に載置されて上鍔部１１の内部に嵌まり込んだ状態で開口部１０を覆うものである。蓋体４には、対向する側面にそれぞれ係合爪４３とロック爪４４が突設してあり、この係合爪４３とロック爪４４とがそれぞれ床面取付プレート１の角筒部１２の係合爪４３受け孔部１７とロック爪４４受け孔部１８とに係合するものである。蓋体４を床面取付プレート１に取り付ける際には、一側の係合爪４３を係合爪４３受け孔部１７に挿入係合した後、他側のロック爪４４をロック爪４４受け孔部１８にロック係合するもので、係合爪受け孔部１７及びロック爪受け孔部１８は床面取付プレート１の対向する側面部１２ａに設けてあるので、蓋体４の向きを反転させることが可能である。なお、図中の４５はロック爪４４を突没させる回転操作部を示す。
【００３７】
そして、蓋体４の一辺（本実施形態では、床面取付プレート１の蓋受け片１６にて受けられる辺）には、配線を引き出すために略矩形状の切欠開口４０が形成してあり、この切欠開口４０に引出部４１となる着脱チップ４２が取り付けられる。
【００３８】
着脱チップ４２としては、閉塞用の着脱チップ（図示せず）と、図７乃至図１０に示す配線引出し用の着脱チップ４２の二種類がある。
【００３９】
閉塞用の着脱チップは、平面視において切欠開口４０とほぼ同形同大の板状をしたもので、この床配線装置から配線を引き出さない場合に切欠開口４０を閉塞するものである。
【００４０】
配線引出し用の着脱チップ４２は、平面視において切欠開口４０とほぼ同形同大をして一側方（外方の側方）及び下方に開口するもので、下端の周端縁部が切欠開口４０の開口縁に取り付けられる。この配線引出し用の着脱チップ４２の一側方へ向いた開口が配線が引き出される引出部４１となる。
【００４１】
このような着脱チップは、配線を引き出す場合と引き出さない場合とで適宜配線引出し用と閉塞用の着脱チップ４２を付け替えるもので、使用しない方の着脱チップを蓋体４の裏面に取着収納するようにしてもよい。
【００４２】
また、特に図示はしないが、着脱チップ４２の代わりに可動体を設けてもよい。可動体は、平面視で上記切欠開口４０とほぼ同じ形状に形成し、その切欠開口４０の奥の辺に位置する辺を軸として上下に回動するようにし、この軸となる辺に対向する辺に引出部４１となる開口を形成すればよく、これによって、二種類の着脱チップを付け替えることなく切欠開口４０の閉塞・開放を行うことができる。
【００４３】
このように、蓋体４の引出部４１からの配線引出し方向と、開口部１０内における配線器具３の差込口に面する方向とが直交するため、互いに対向する両側の配線器具３の差込口に接続される配線が全て９０°程曲げるだけで引出部４１から引き出し可能となり、配線が引き出し易くなると共に配線を大きく曲げることによる損傷が起こり難くなる。
【００４４】
次に、図１１及び図１２に基づいて、他の実施形態について説明するが、上実施形態と大体において同じであるため同じ部分については説明を省略し、異なる部分について説明する。
【００４５】
本実施形態においては、ねじ止め部５を床面取付プレート１に一体的に設けるものである。即ち、図１乃至図１０に示す上実施形態においては、ねじ止め部５は、両端部に取付部２２が形成された配線器具保持具２の下端部より連設してあるが、本実施形態では、図１２に示すように、床面取付プレート１の角筒部１２の対向する側面部１２ｂからそれぞれ吊下げ片５２を垂下し、この両吊下げ片５２の下端部間にねじ止め部５を架設したものである。
【００４６】
このようにすることで、ねじ止め部５を開口部１０の内方且つ下方に配設するため両端部を床面取付プレート１に固定した配線器具保持具２ａを設ける必要がなくなり、図１１に示すように、全て（ここでは四個）の配線器具保持具２を両端部に係止爪２１及び被ねじ止め部２６をそれぞれ形成した配線器具保持具２ｂとすることができ、床面取付プレート１の開口部１０の周縁部に縁取付部１３を形成する必要がなくなり、縁取付部１３よりも突出長さの短い係止片１４のみを形成すればよくなって、床面取付プレート１に対して開口部１０を大きく形成することが可能となる。
【００４７】
なお、図においては、配線器具保持具と床面取付プレート及びねじ止め部とを固着する固着具は省略している。
【００４８】
【発明の効果】
上記のように本発明の請求項１記載の発明にあっては、中央に開口部を有して床面開口部の開口端縁を覆うように配設される枠状をした床面取付プレートと、少なくとも一端部が前記床面取付プレートの開口部の周縁部に取着される複数の配線器具保持具と、配線器具保持具に取付けられて床面下に収容される配線器具と、配線器具に接続される配線を引出すための引出部を有して床面取付プレートの開口部を塞ぐ蓋体と、を備えた床配線装置において、前記床面取付プレートの開口部の内方且つ下方に少なくとも一個の配線器具保持具の一端部がねじ止めされるねじ止め部を配設すると共に該配線器具保持具の他端部に床面取付プレートの開口部の周縁部に係止して取着するための係止爪を設け、床面取付プレートの開口部の周縁部に前記係止爪が係止される係止片を設けたので、配線器具保持具の床面取付プレートへの取着を全てねじ止めにて行うもののように床面取付プレートの開口部の周縁部にねじ止めするため突出長さの長い縁取付部を突出するところを突出長さの短い係止片を突出することで取着可能となり、床面取付プレートに対して開口部を相対的に大きく形成することが可能となって、床配線装置の小型化の際の開口部が小さくなるという不都合を解消することができるものである。
【００４９】
また請求項２記載の発明にあっては、上記請求項１記載の発明の効果に加えて、ねじ止め部を該ねじ止め部にねじ止めされる配線器具保持具とは別の配線器具保持具の下端部より水平方向に連設したので、配線器具保持具をねじ止め部を配設するための支持部材として兼用することができる。
【００５０】
また請求項３記載の発明にあっては、上記請求項１又は２記載の発明の効果に加えて、ねじ止め部を床面取付プレートより一体に垂下した吊下げ片に設けたので、床面取付プレートの開口部の周縁部に突出長さの長い縁取付部を突出する必要が全くなくなり、床面取付プレートに対する開口部の相対的な大きさをより一層大きくすることが可能となる。
【００５１】
また請求項４記載の発明にあっては、中央に開口部を有して床面開口部の開口端縁を覆うように配設される枠状をした床面取付プレートと、少なくとも一端部が前記床面取付プレートの開口部の周縁部に取着される複数の配線器具保持具と、配線器具保持具に取付けられて床面下に収容される配線器具と、配線器具に接続される配線を引出すための引出部を有して床面取付プレートの開口部を塞ぐ蓋体と、を備えた床配線装置において、蓋体の引出部の配線引出し方向を配線器具の差込口に面する方向と直交するように形成したので、配線器具が両側で互いに対向するように配設してある場合、各配線器具の差込口に接続される配線が全て９０°程曲げるだけで引出部から引き出し可能となり、配線が引き出し易くなると共に配線を大きく曲げることによる損傷が起こり難くなる。
【図面の簡単な説明】
【図１】本発明の一実施形態において床面取付プレートに配線器具保持具を二個取り付けた状態の斜視図である。
【図２】同上の実施形態において床面取付プレートに配線器具保持具を一個取り付けた状態の斜視図である。
【図３】同上の別方向から見た斜視図である。
【図４】同上において更に一個（即ち計二個）の配線器具保持具を取り付けた状態の斜視図である。
【図５】同上において更に一個（即ち計三個）の配線器具保持具を取り付けた状態の斜視図である。
【図６】同上において更にコンセントプレートを取り付けた状態の斜視図である。
【図７】同上において更に蓋体を取り付けた状態の斜視図である。
【図８】同上の別方向から見た斜視図である。
【図９】同上の平面図である。
【図１０】同上の側面図である。
【図１１】本発明の他の実施形態においてねじ止め部を設けた床面取付プレートに配線器具保持具を四個取り付けた状態の斜視図である。
【図１２】同上の床面取付プレートの斜視図である。
【図１３】従来の床配線装置の要部の一部分解斜視図である。
【図１４】同上の概略全体分解斜視図である。
【符号の説明】
１  床面取付プレート
１０  開口部
１４  係止片
２  配線器具保持具
２１  係止爪
３  配線器具
４  蓋体
４１  引出部
５  ねじ止め部
【図１】
2004153970.tif 000003
【図２】
2004153970.tif 000004
【図３】
2004153970.tif 000005
【図４】
2004153970.tif 000006
【図５】
2004153970.tif 000007
【図６】
2004153970.tif 000008
【図７】
2004153970.tif 000009
【図８】
2004153970.tif 000010
【図９】
2004153970.tif 000011
【図１０】
2004153970.tif 000012
【図１１】
2004153970.tif 000013
【図１２】
2004153970.tif 000014
【図１３】
2004153970.tif 000015
【図１４】
2004153970.tif 000016